(57)【要約】【課題】お気に入りの装飾を異なる衣服のポケット部などに用いたり、同じ衣服に異なる装飾を施したりすることを可能とした服飾用留め飾りを提供する。【解決手段】可撓性を有するシート状の飾り片２と、飾り片２の全体が衣服上に露出した状態で飾り片２をジーンズのポケット部に取り外し可能に留め固定するための留め金具３とから成る。飾り片２は、表裏一体化された表地２１と裏地２２とから成る。留め金具３は、逆Ｕ字状をなす基板部３０とフック部３１とを有し、基板部３０は表地２１の本体部２１Ａと裏地２２との間に挿入されて裏地２２に固定され、フック部３１は裏地２２の表面より裏地２２上に下向きに突出させている。【選択図】図５
2010269017.tif 000002
【特許請求の範囲】
【請求項１】
衣服の適所に装着して衣服を装飾するための服飾用留め飾りであって、可撓性を有するシート状の飾り片と、飾り片の全体を衣服上に露出させた状態で飾り片を衣服に取り外し可能に留め固定するための留め金具とから成り、前記飾り片は、表裏一体化された表地と裏地とから成り、前記留め金具は、逆Ｕ字状をなす基板部とフック部とを有し、基板部は表地の本体部と裏地との間に挿入されて裏地に固定され、フック部は裏地の表面より裏地上に下向きに突出させて成る服飾用留め飾り。
【請求項２】
前記飾り片は、ズボンの後部ポケットの開口幅より大きな幅に形成されている請求項１に記載された服飾用留め飾り。
【請求項３】
前記留め金具は、飾り片の左右対称位置にそれぞれ設けられている請求項１に記載された服飾用留め飾り。
【請求項４】
前記留め金具は、フック部の内側に裏地に向けてバネ圧を作用させる板バネ製の押さえ板が設けられている請求項１または３に記載された服飾用留め飾り。
【請求項５】
請求項１〜４のいずれかに記載された服飾用留め飾りであって、飾り片の上端部に衣服の適所に係留するための脱落防止用のひも状体が取り付けられている服飾用留め飾り。
【発明の詳細な説明】
【技術分野】
【０００１】
この発明は、衣服の適所に装着して衣服を装飾するための服飾用留め飾りに関し、特にこの発明は、ジーンズなどのズボンのポケット部を装飾するのに好適な服飾用留め飾りに関する。
【背景技術】
【０００２】
特に近年、ジーンズが広く着用されるようになり、後部ポケット部の表面に刺繍糸、飾り玉、鋲などを用いた装飾が施されているものがある。また、先般、ジーンズの後部ポケット部を装飾するのに、絵画や花柄などの図柄や模様がプリントされたポケット片を後部ポケット部上に逢着することも提案されている（例えば、特許文献１参照）。
【先行技術文献】
【特許文献】
【０００３】
【特許文献１】実開平１−１７３１２８号公報
【発明の概要】
【発明が解決しようとする課題】
【０００４】
しかし、上記した装飾はジーンズ毎に施され、着用者がお気に入りの装飾を他のジーンズに用いることはできない。また、そのような固定的な装飾の場合、着用しようとする上着にフィットしないことがあり、上着を選択するのに制約を受けるという問題もある。
【０００５】
この発明は、上記の問題に着目してなされたもので、お気に入りの装飾を異なる衣服のポケット部などに用いたり、同じ衣服に異なる装飾を施したりすることを可能とした服飾用留め飾りを提供することを目的とする。
【課題を解決するための手段】
【０００６】
この発明による服飾用留め飾りは、衣服の適所に装着して衣服を装飾するためのものであり、可撓性を有するシート状の飾り片と、飾り片の全体を衣服上に露出させた状態で飾り片を衣服に取り外し可能に留め固定するための留め金具とから成る。前記飾り片は、表裏一体化された表地と裏地とから成る。前記留め金具は、逆Ｕ字状をなす基板部とフック部とを有し、基板部は表地の本体部と裏地との間に挿入されて裏地に固定され、フック部は裏地の表面より裏地上に下向きに突出させている。
【０００７】
上記した構成の服飾用留め飾りにより例えばジーンズの後部ポケット部を装飾する場合、飾り片の表地を外側に向け、留め金具のフック部を後部ポケットの開口縁へ引っ掛けて服飾用留め飾りを留め固定する。留め金具は飾り片の裏側に隠れて外部から見えず、飾り片は後部ポケット部の開口縁上を覆いかつ後部ポケット上に全体が露出するので、飾り片の形態や飾り片の表地に施された装飾により後部ポケット部が装飾される。
【０００８】
この発明による服飾用留め飾りは、ジーンズの後部ポケット部上を装飾するのに好適であるが、その他のズボンのポケット部、さらには、上着のポケット部上の装飾にも用いることができる。さらに、ポケット部に限らず、留め固定が可能な場所であれば、衣服の任意の部位に装着することが可能である。
【０００９】
この発明の上記した構成において、飾り片を構成する表地および裏地として、皮、合成樹脂シート、布など、種々のものを用いることができる。飾り片は、その形態と表地に施される図柄、模様などによって種々の装飾が付与されるもので、表地の図柄や模様は、刺繍糸、飾り玉、鋲などの種々の装飾部品を用いて形成することができる他、印刷したり、表地の表面を起毛したりして形成してもよい。
【００１０】
この発明の好ましい実施態様においては、前記飾り片は、ズボンの後部ポケットの開口幅より大きな幅に形成されている。この実施態様によると、ジーンズのようなズボンの後部ポケット部を装飾する場合、飾り片によって後部ポケット部の開口部分は全体が覆われて外から見えなくなり、見栄えが向上する。
【００１１】
この発明の上記した構成において、留め金具は飾り片の幅中央部に１個だけ設けてもよいが、望ましくは、飾り片の左右対称位置にそれぞれ設ける。この実施態様によると、服飾用留め飾りを安定して留め固定でき、服飾用留め飾りが傾くなどのおそれがない。
【００１２】
この発明の好ましい実施態様においては、前記留め金具は、フック部の内側に裏地に向けてバネ圧を作用させる板バネ製の押さえ板が設けられている。この実施態様によると、押さえ板のバネ圧によりしっかり留め固定されるので、服飾用留め飾りの脱落を防止できる。
【００１３】
この発明のさらに好ましい実施態様においては、飾り片の上端部に衣服の適所に係留するための脱落防止用のひも状体が取り付けられている。この実施態様によると、たとえ留め金具が外れて衣服の装着部位より脱落しても、ひも状体によって係留されているので、服飾用留め飾りを紛失することがない。
【発明の効果】
【００１４】
この発明によると、ポケット部などの衣服の適所に留め固定するだけで、飾り片の全体が衣服上に露出し、装着部位を容易に装飾できる。また、服飾用留め飾りは衣服に着脱可能であるから、着用者はお気に入りの装飾を異なる衣服に用いることができる。さらに、服飾用留め飾りを複数種用意し、いずれかを選択して用いることで、同じ衣服に異なる装飾を施すことができる。また、衣服上に留め固定したとき、留め金具は飾り片の裏側に隠れるので、外部から見えず、見栄えを低下させない。
【図面の簡単な説明】
【００１５】
【図１】この発明の一実施例である服飾用留め飾りをポケット部に装着した状態を示す説明図である。
【図２】この発明の一実施例である服飾用留め飾りの正面図である。
【図３】図２の実施例の背面図である。
【図４】図３のＡ−Ａ線に沿う断面図である。
【図５】図３のＢ−Ｂ線に沿う断面図である。
【図６】留め金具の正面図および側面図である。
【図７】この発明の他の実施例である服飾用留め飾りの背面図である。
【図８】図７のＣ−Ｃ線に沿う断面図である。
【発明を実施するための形態】
【００１６】
図１は、この発明の一実施例である服飾用留め飾り１をジーンズ１０の一方の後部ポケット部１１上に装着した状態を示している。後部ポケット部１１は上面が開口し、開口部１１ａにフラップは設けられていない。なお、図示例の留め飾り１は、ジーンズ１０の後部ポケット部１１以外の箇所、例えば、ベルト１２の適所に装着することも可能である。
【００１７】
図示例の留め飾り１は、図２〜図４に示すように、可撓性を有するシート状の飾り片２と、飾り片２の全体を後部ポケット１１上に露出させた状態で飾り片２を後部ポケット部１１の開口縁１１ａに取り外し可能に留め固定するための留め金具３とから成る。飾り片２の上端部の両端には脱落防止用のひも状体４を取り付けるための取付孔２０，２０が鳩目によって形成されている。
【００１８】
この実施例では、ひも状体４として金属製の鎖４０の一端に飾り片２のいずれかの取付孔２０に係脱可能な連結金具４１を、他端にジーンズ１０のベルト通し１３などに係脱可能な連結金具４２を、それぞれ取り付けたものを用いている。いずれの連結金具４１，４２も、Ｃ字状の鈎状片の開放部分に開閉可能なシャッタ部材を配備した取り外し可能な構造のものであるが、一方の連結金具４１は取付孔２０から取り外せないリング形状のものであってもよい。また、ひも状体４は、容易に寸断しなければ、金属製の鎖４０に代えて、種々の材質や形態のものを用いることができる。
【００１９】
飾り片２は、同じ形状および同じ材質の表地２１と裏地２２とを貼り合わせて表裏一体化したものである。この実施例では表地２１および裏地２２として合成皮革が用いてあるが、柔軟で可撓性のある材質であれば、布その他の材料で構成してもよい。また、表地２１と裏地２２とは必ずしも同じ材質のものを用いる必要はない。
【００２０】
この実施例の飾り片２は、ほぼ同一幅の上半分に対して下半分が下方に向けて幅が狭くなる形態のものであり、飾り片２の上半分の幅はジーンズ１０の後部ポケット１１の開口幅より大きな幅に形成されている。表地２１の同一幅の上半分は留め金具３の取付位置となる本体部２１Ａを、また、下方に向けて幅が狭くなっている下半分は本体部２１Ａの下方へ垂れ下がり状態となる延出部２１Ｂを、それぞれ構成している。本体部２１Ａと延出部２１Ｂとは連続するものであるが、別個のシート部材を繋ぎ合わせて構成してもよい。表地２１の本体部２１Ａの表面には、色ガラス製の飾り玉２３と複数個の鋲２４とによる装飾が施されている。
【００２１】
裏地２２は表地２１と同一形状であるから、表地２１の本体部２１Ａおよび延出部２１Ｂと完全で重なり、外周縁に沿って表地２１と接着剤により一体接合されている。裏地２２は、表地２１の少なくとも本体部２１Ａと重なる部分を有していればよく、後述する図７，８の実施例のように、表地２１と裏地２２とは必ずしも同一形状である必要はない。
【００２２】
前記の各留め金具３は、飾り片２の左右対称位置にそれぞれ設けられており、図５および図６に示すように、側面視（図６（２）参照）で逆Ｕ字状をなしており、縦に長い矩形状の基板部３０と、幅中央部に貫通溝３２を有するフック部３１とから成る。基板部３０の四隅位置にはリベット５を通す止め孔３３が開設されている。飾り片２の裏地２２の上端縁の下方の左右対称位置にはそれぞれ水平な切り溝２５，２５が形成され、各切り溝２５より表地２１の本体部２１Ａと裏地２２との間の隙間２６に各留め金具３の基板部３０が差し込まれるともに、基板部３０の四隅の止め孔３３と裏地２２の対応箇所に開設された貫通孔（図示せず）にリベット５を通して基板部３０を裏地２２に固定している。フック部３１は切り溝２５から裏地２２上に下向きに突出する。
【００２３】
各留め金具３のフック部３１の内側には飾り片２の裏地２２に向けてバネ圧を作用させる板バネ製の押さえ板３４が設けられている。この押さえ板３４は全体が湾曲し、基板部３０に向けて丸く突き出ている。押さえ板３４の下端はフック部３１に固着され、上端はバネ変形に伴ってフック部３１の内面に沿って摺動する。
【００２４】
上記した実施例は、飾り片２の表地２１と裏地２２とが同一形状であり、裏地２２が表地２１の本体部２１Ａおよび延出部２１Ｂと完全で重なっているが、図７および図８に示す第２の実施例は、飾り片２の表地２１と裏地２２とは同一形状でなく、裏地２２は表地２１の本体部２１Ａと重なる部分２２Ａと表地２１の延出部２１Ｂの領域内に小さく突出する部分２２Ｂとで構成されている。
【００２５】
上記した構成の服飾用留め飾り１によりジーンズ１０の後部ポケット部１１を装飾する場合、飾り片２の表地２１を外側に向け、左右の留め金具３，３のフック部３１を後部ポケット１１の開口縁１１ａへそれぞれ引っ掛けて後部ポケット部１１内へ差し込むことにより服飾用留め飾り１を留め固定する。この場合、後部ポケット部１１を構成する生地は飾り片２と留め金具３のフック部３１の押さえ板３４との間で押さえ板３４のバネ圧を受けてしっかり挟持される。
【００２６】
各留め金具３は飾り片２の裏側に隠れて外部から見えず、飾り片２は後部ポケット部１１の開口縁１１ａ上を覆いかつ後部ポケット１１上に全体が露出するので、飾り片２の形態や飾り片２の表地２１に施された装飾により後部ポケット部１１が装飾される。この装着状態では、表地２１の本体部２１Ａに当たる部分が後部ポケット部１１上に安定状態で保持され、これに対して、延出部２１Ｂは垂れ下がり状態であって容易に変形するので、延出部２１Ｂが着用者に違和感を感じさせたり、起居に支障を生じさせることがない。
【符号の説明】
【００２７】
１    服飾用留め飾り
２    飾り片
３    留め金具
１０  ジーンズ
１１  ポケット部
２１  表地
２２  裏地
３０  基板部
３１  フック部
【図１】
2010269017.tif 000003
【図２】
2010269017.tif 000004
【図３】
2010269017.tif 000005
【図４】
2010269017.tif 000006
【図５】
2010269017.tif 000007
【図６】
2010269017.tif 000008
【図７】
2010269017.tif 000009
【図８】
2010269017.tif 000010